(57)【要約】【課題】  レバーに円滑で安定した操作性を持たせるとともに、レバーの回動半径及び操作に必要な力を低減させ、レバーの回動に伴う低挿入力でのコネクタ嵌合を容易かつ確実に行う。【解決手段】  レバー４０は、第１段階の回動に伴って、ハウジング側ボス１５を嵌合溝４５内で摺動させるとともに、嵌合離脱突起４８が嵌合離脱ガイド部３３内に設けられた係合面３３ｂに当接させ、該嵌合溝内に設けられた突き当て部４５ａに変位させる。そして、第２段階の回動に伴って、ハウジング側ボス１５を中心として回動し、嵌合離脱突起４８が嵌合離脱ガイド部３３内で摺動・案内されるとともに、雌コネクタ１０への雄コネクタ３０の嵌合完了まで行うことができる。【選択図】        図６
2006338949.tif 000002
【特許請求の範囲】
【請求項１】
一組の雌雄コネクタが嵌合ロックされるコネクタ嵌合構造において、
一方のコネクタのコネクタハウジングには、コネクタハウジングに突設されたハウジング側ボスを支点として回動可能なレバーが装着されており、
該レバーは、第１段階でハウジング側ボスに対して所定の位置に変位された後、第２段階でハウジング側ボスを回動支点として回動され、この回動操作に伴って一方のコネクタへの他方のコネクタの嵌合が進むことを特徴とするコネクタ嵌合構造。
【請求項２】
前記レバーには、嵌合溝が設けられるとともに、嵌合離脱突起が突設されており、
前記嵌合溝は、ハウジング側ボスに摺動可能に嵌挿されるとともに、レバーの回動に伴ってハウジング側ボスを摺動・案内させることにより、ハウジング側ボスをレバーの回動支点として機能させ、
前記嵌合離脱突起は、他方のコネクタのコネクタハウジングに設けられた嵌合離脱ガイド部に嵌合され、レバーの回動に伴って嵌合離脱ガイド部内で摺動・案内されることにより、一方のコネクタへの他方のコネクタの嵌合案内として機能し、
前記レバーは、第１段階の回動に伴ってハウジング側ボスを嵌合溝内で摺動させ、該嵌合溝内に設けられた突き当て部に変位させるとともに、嵌合離脱突起が嵌合離脱ガイド部内に設けられた係合面に当接され、
第２段階の回動に伴ってハウジング側ボスを中心として回動し、嵌合離脱突起が嵌合離脱ガイド部内で摺動・案内されるとともに、一方のコネクタへの他方のコネクタの嵌合が進むことを特徴とする請求項１記載のコネクタ嵌合構造。
【請求項３】
前記レバーは、コネクタハウジングの一側面に支持される片側構成のレバーであることを特徴とする請求項１又は２記載のコネクタ嵌合構造。
【発明の詳細な説明】
【技術分野】
【０００１】
本発明は、一組の雌雄コネクタが嵌合ロックされるコネクタ嵌合構造に関し、特にレバーの回動操作によって嵌合作業を行うレバー式コネクタの構造に関する。
【背景技術】
【０００２】
従来から様々なレバー式コネクタが知られている（例えば、特許文献１参照）。図１７は、特許文献１で開示されているレバー式コネクタの雄ハウジングを雌ハウジングに嵌合前の状態を示す断面図であり、図１８は、図１７のレバー式コネクタの雄ハウジングを雌ハウジングに嵌合した状態を示す断面図である。
図１７及び図１８を参照すると、レバー式コネクタ１００においては、レバー１０１が、係合穴１０２に雄ハウジング１０３の突起部１０４を係合されることにより、雄ハウジング１０３に突起部１０４を中心として回動可能に支持されている。
【０００３】
レバー１０１は、回動に伴って雌ハウジング１０５への雄ハウジング１０３の嵌合動作を補助しつつ、各ハウジング１０３，１０５同士を嵌合状態とさせる。すなわち、雄ハウジング１０３が、雌ハウジング１０５のフード部１０６内に収容、嵌合されるとともに、フード部１０６の係止突起１０７が、レバー１０１の係止部（図示しない）に係合されることにより、レバー１０１を介して、各ハウジング１０３，１０５の嵌合状態が保持される。
【特許文献１】特開２００２―３５９０２８号公報（第５〜６頁、第２図及び第３図）
【発明の開示】
【発明が解決しようとする課題】
【０００４】
しかしながら、上述した図１７及び図１８に示す従来のレバー式コネクタ１００では、レバー１０１の回動操作により、各ハウジング１０３，１０５同士を嵌合させるため、係合穴１０２内での突起部１０４の移動が円滑に行われず、レバー１０１の安定したスムーズな回動操作が困難であるとともに、レバー１０１の回動半径及び操作に必要な力も大きくなってしまうという問題があった。
【０００５】
本発明は、上記事情に鑑みてなされたものであり、レバーに円滑で安定した操作性を持たせることができるとともに、レバーの回動半径及び操作に必要な力を低減させつつ、レバーのスムーズな回動に伴う低挿入力でのコネクタ嵌合を容易かつ確実に行うことができるコネクタ嵌合構造を提供することを目的とする。
【課題を解決するための手段】
【０００６】
１）本発明のコネクタ嵌合構造は、一組の雌雄コネクタが嵌合ロックされるコネクタ嵌合構造において、
一方のコネクタのコネクタハウジングには、レバーがコネクタハウジングに突設されたハウジング側ボスを支点として回動可能に装着されており、該レバーは、第１段階でハウジング側ボスに対して所定の位置に変位された後、第２段階でハウジング側ボスを回動支点として回動され、この回動操作に伴って一方のコネクタへの他方のコネクタの嵌合が進むことを特徴とする。
【０００７】
前記コネクタ嵌合構造では、レバーは、第１段階でハウジング側ボスに対して所定の位置に変位される。その後、第２段階でハウジング側ボスを回動支点として更に回動され、この回動操作に伴って一方のコネクタへの他方のコネクタの嵌合が進む。すなわち、第１段階で双方のコネクタ嵌合前にレバーを一方のコネクタのハウジング側ボスに対する所定位置に回動変位させるとともに、他方のコネクタの所定位置に位置決めできる。そして、第２段階でハウジング側ボスを回動支点として回動させることで、双方のコネクタ嵌合を円滑に進めることができる。したがって、レバーに円滑で安定した操作性を持たせることができるとともに、レバーの回動半径及び操作に必要な力を低減させることができるコネクタ嵌合構造が得られる。
【０００８】
２）本発明のコネクタ嵌合構造は、前記１）に記載のコネクタ嵌合構造において、レバーには、嵌合溝が設けられるとともに、嵌合離脱突起が突設されており、嵌合溝は、ハウジング側ボスに摺動可能に嵌挿されるとともに、レバーの回動に伴ってハウジング側ボスを摺動・案内させることにより、ハウジング側ボスをレバーの回動支点として機能させ、嵌合離脱突起は、他方のコネクタのコネクタハウジングに設けられた嵌合離脱ガイド部に嵌合され、レバーの回動に伴って嵌合離脱ガイド部内で摺動・案内されることにより、一方のコネクタへの他方のコネクタの嵌合案内として機能し、レバーは、第１段階の回動に伴ってハウジング側ボスを嵌合溝内で摺動させ、該嵌合溝内に設けられた突き当て部に変位させるとともに、嵌合離脱突起が嵌合離脱ガイド部内に設けられた係合面に当接され、第２段階の回動に伴ってハウジング側ボスを中心として回動し、嵌合離脱突起が嵌合離脱ガイド部内で摺動・案内されるとともに、一方のコネクタへの他方のコネクタの嵌合が進むことを特徴とする。
【０００９】
前記コネクタ嵌合構造では、レバーは、ハウジング側ボスに摺動可能に嵌挿され、レバーの回動に伴ってハウジング側ボスを摺動・案内して該ハウジング側ボスを回動支点として機能させる嵌合溝と、他方のコネクタの嵌合離脱ガイド部に嵌合され、該嵌合離脱ガイド部内でレバーの回動に伴って摺動・案内される嵌合離脱突起とを備えている。そして、レバーは、第１段階でハウジング側ボスを嵌合溝内の突き当て部に変位させるとともに、嵌合離脱突起が嵌合離脱ガイド部内に設けられた係合面に当接される。そして、レバーは、第２段階でハウジング側ボスを中心に回動するとともに、嵌合離脱突起が嵌合離脱ガイド部内で摺動・案内されることで、双方のコネクタ嵌合を円滑に進めることができる。したがって、レバーに円滑で安定した操作性を持たせることができるとともに、レバーの回動半径及び操作に必要な力を低減させることができるコネクタ嵌合構造が得られる。
【００１０】
３）本発明のコネクタ嵌合構造は、前記１）又は２）に記載のコネクタ嵌合構造において、レバーは、コネクタハウジングの一側面に支持される片側構成のレバーであることを特徴とする。
前記コネクタ嵌合構造では、コネクタハウジングの一側面に支持される片側構成のレバーなので、コネクタハウジングのコンパクト化を図ることができ、レバーの構成も簡単なのでコスト削減を図ることができる。
【発明の効果】
【００１１】
本発明のコネクタ嵌合構造によれば、レバーを段階的に回動させることで、レバーに円滑で安定した操作性を持たせることができるとともに、レバーの回動半径及び操作に必要な力を低減させつつ、レバーのスムーズな回動に伴う低挿入力でのコネクタ嵌合を容易かつ確実に行うことができる。また、片側構成のレバーを用いることで、コネクタハウジングのコンパクト化とコスト削減を図ることができる。
【発明を実施するための最良の形態】
【００１２】
以下、図示実施形態により、本発明を説明する。
図１は本発明の一実施形態であるコネクタ嵌合構造の雌コネクタへの雄コネクタ嵌合前の状態を示す斜視図であり、図２は図１のコネクタ構造のカバーを除くとともに、雌コネクタのアウタハウジングを一部切り欠いた状態を示す側面図、図３は図１のコネクタ構造の雌コネクタのロックアームが見える位置での切断面を示す断面図、図４は図１のコネクタ構造のレバーのロック解除アームが見える位置での切断面を示す断面図である。
【００１３】
また、図５は本発明の一実施形態であるコネクタ嵌合構造の雌コネクタへの雄コネクタ嵌合し始め状態を示す斜視図である。図６及び図７は図５のコネクタ嵌合構造のカバー及び雌コネクタのアウタハウジングを除いた状態を示す側面図であり、図６はハウジング側ボスに対するレバーの変位前の状態を、図７はハウジング側ボスに対するレバーの変位後の状態をそれぞれ示す。図８は図５のコネクタ嵌合構造の雌コネクタのロックアームが見える位置での切断面を示す断面図であり、図９は図５のコネクタ嵌合構造のレバーのロック解除アームが見える位置での切断面を示す断面図である。
【００１４】
また、図１０は本発明の一実施形態であるコネクタ嵌合構造の雌コネクタへの雄コネクタ嵌合完了直前の状態を示す斜視図であり、図１１は図９のコネクタ嵌合構造の雌コネクタのロックアームが見える位置での切断面を示す断面図、図１２は図９のコネクタ嵌合構造のレバーのロック解除アームが見える位置での切断面を示す断面図である。
【００１５】
更に、図１３は本発明の一実施形態であるコネクタ嵌合構造の雌コネクタへの雄コネクタ嵌合完了状態を示す斜視図であり、図１４は図１３のコネクタ嵌合構造のカバー及び雌コネクタのアウタハウジングを除いた状態を示す側面図、図１５は図１３のコネクタ嵌合構造の雌コネクタのロックアームが見える位置での切断面を示す断面図、図１６は図１３のコネクタ嵌合構造のレバーのロック解除アームが見える位置での切断面を示す断面図である。
【００１６】
図１〜図１６を参照すると、本実施形態のコネクタ嵌合構造において、雌コネクタ１０及び雄コネクタ３０は、雌コネクタ１０のロックアーム１２先端の係合部１２ａと、雄コネクタ３０の係合突起３２との係合により、雌雄一組のコネクタハウジング１１，３１を嵌合ロックされる。また、雌コネクタ１０及び雄コネクタ３０は、雌コネクタ１０のインナハウジング１１ａに回動可能に装着されたレバー４０の図２中の時計方向又は反時計方向への回動操作により、各コネクタハウジング１１，３１の嵌合ロック動作及び嵌合ロックの解除動作をそれぞれ補助される。
【００１７】
更に、雌コネクタ１０及び雄コネクタ３０は、雌コネクタ１０のロックアーム１２の係合部１２ａと雄コネクタ３０の係合突起３２との係合による各コネクタハウジング１１，３１の嵌合ロック時、レバー４０により雌コネクタ１０のロックアーム１２を押圧・保持されることにより、嵌合ロック状態を保持される。
【００１８】
雌コネクタ１０は、コネクタハウジング１１をインナハウジング１１ａ及びアウタハウジング１１ｂから構成される二重構造である。雌コネクタ１０のインナハウジング１１ａ内には、端子収容室が設けられており、端子収容室には、複数の雌型端子が収容されている。また、雌コネクタ１０のインナハウジング１１ａの外面（図１及び図２中、上面）には、ロックアーム１２が、長手方向中央付近を中心として、シーソー状に揺動可能に設けられている。また、インナハウジング１１ａの一方の側面には、レバー４０の回動支点となるハウジング側ボス１５とレバー回動ガイドボス１６が突設されている。このハウジング側ボス１５とレバー回動ガイドボス１６の配置関係は、雌コネクタ１０の嵌合方向に対して略直交する仮想線上で比較的近接した位置関係に形成されている。
【００１９】
ロックアーム１２は、先端部（図４中、左端部）に設けられた係合部１２ａと、係合部１２ａの両側にそれぞれ設けられた解除突起１２ｂと、レバー４０の回動に伴ってレバー４０の押圧突起４１を係合される押圧部１２ｃと、レバー４０の回動に伴ってレバー４０の押圧突起４１を嵌合される案内溝１２ｄとを備える。
【００２０】
ロックアーム１２の係合部１２ａは、雌コネクタ１０への雄コネクタ３０の嵌合に伴って、雄コネクタ３０の係合突起３２に設けられたテーパ部３２ａに乗り上げるようにして、係合突起３２と係合される（図８及び図１１に示す状態）とともに、係合突起３２を乗り越した状態（図１５に示す状態）で、各コネクタ１０，３０のコネクタハウジング１１，３１を嵌合ロックさせる。
【００２１】
ロックアーム１２の解除突起１２ｂは、各コネクタ１０，３０のコネクタハウジング１１，３１の嵌合ロック解除時、図４中の左側のテーパ面に、レバー４０のロック解除アーム４２の鉤状部４２ａを係合して押圧されることにより、ロックアーム１２を係合部１２ａが持ち上がる側に撓ませる。
【００２２】
ロックアーム１２の押圧部１２ｃは、各コネクタ１０，３０のコネクタハウジング１１，３１の嵌合ロック時及び嵌合ロック解除時、レバー４０の押圧突起４１を係合され、押圧されることにより、ロックアーム１２を係合部１２ａが持ち上がる側に撓ませる。
【００２３】
ロックアーム１２の案内溝１２ｄは、各コネクタ１０，３０のコネクタハウジング１１，３１の嵌合時及び解除時、レバー４０の押圧突起４１を嵌合されることにより、ロックアーム１２に対してレバー４０の回動をガイドし、レバー４０の捩れを防止する。
【００２４】
雌コネクタ１０のアウタハウジング１１ｂには、保護壁１３が、ロックアーム１２近傍に設けられている。保護壁１３は、レバー４０及びロックアーム１２を保護する。
【００２５】
本実施形態の雌コネクタ１０は、インナハウジング１１ａにＬ字状のレバー４０が、回動可能に装着されている。レバー４０は、ロックアーム１２の上方に配置される操作部４３と、操作部４３に略直交して設けられ、レバー４０全体をＬ字状とする平板部４４と、可撓性を有する一対の鉤状のロック解除アーム４２とを備える。
【００２６】
レバー４０の操作部４３の下面側（ロックアーム１２側）には、押圧突起４１が突設されている。押圧突起４１は、各コネクタ１０，３０のコネクタハウジング１１，３１の嵌合ロック時、ロックアーム１２の押圧部１２ｃに当接して押圧し、ロックアーム１２を係合部１２ａが持ち上がる側に撓ませる。
【００２７】
また、押圧突起４１は、各コネクタ１０，３０のコネクタハウジング１１，３１の嵌合ロック状態で、ロックアーム１２における揺動中心付近に上方から係合してロックアーム１２を押圧・保持させ、ロックアーム１２の揺動を制限する。これにより、ロックアーム１２の係合部１２ａと雄コネクタ３０の係合突起３２との係合による各コネクタ１０，３０のコネクタハウジング１１，３１の嵌合ロック状態が保持される。
【００２８】
レバー４０の平板部４４には、雌コネクタ１１のハウジング側ボス１５を嵌挿される嵌合溝４５と、雌コネクタ１１のレバー回動ガイドボス１６を嵌挿されるガイド溝４６と、内面側（インナハウジング１１ａ側）に凸状の嵌合離脱突起４８とがそれぞれ設けられている。この嵌合溝４５とガイド溝４６の配置関係は、上述したハウジング側ボス１５とレバー回動ガイドボス１６との配置関係に対応しており、雌コネクタ１１の嵌合方向に対して略直交する仮想線上に比較的近接して形成されている。
【００２９】
レバー４０の嵌合溝４５は、雌コネクタ１１のインナハウジング１１ａ外面に突設されたハウジング側ボス１５が摺動可能に嵌挿される。すなわち、嵌合溝４５は、レバー４０の回動に伴ってハウジング側ボス１５を摺動・案内させることにより、雌コネクタ１０のインナハウジング１１ａに対して、ハウジング側ボス１５をレバー４０の回動支点として機能させる。
【００３０】
また、嵌合溝４５内には、その後端部分に突き当て部４５ａが設けられている。突き当て部４５ａは、レバー４０の回動（後述）に伴って嵌合溝４５内を摺動するハウジング側ボス１５を所定の位置で係止する。
【００３１】
レバー４０のガイド溝４６は、雌コネクタ１０のインナハウジング１１ａ外面に突設されたレバー回動ガイドボス１６が摺動可能に嵌挿される。すなわち、ガイド溝４６は、レバー４０の回動に伴ってレバー回動ガイドボス１６を摺動・案内させることにより、レバー４０の回動軌跡を規制する。
【００３２】
レバー４０の嵌合離脱突起４８は、レバーの回動に伴って、後述する雄コネクタ３０の嵌合離脱ガイド部３３に嵌合されるとともに、レバー４０の回動に伴って嵌合離脱ガイド部３３内で摺動・案内されることにより、雄コネクタ３０のコネクタハウジング３１をインナハウジング１１ａ外周に嵌合案内する。
【００３３】
すなわち、レバー４０は、雌コネクタ１０のインナハウジング１１ａに対しては、嵌合溝４５に嵌挿されるハウジング側ボス１５を中心に回動して、雄コネクタ３０のコネクタハウジング３１に対しては、嵌合離脱突起４８が雄コネクタ３０の嵌合離脱ガイド部３３内を摺動して、ガイド溝４６に嵌挿されるレバー回動ガイドボス１６により、雌コネクタ１０のインナハウジング１１ａに対して案内されつつ、所定の回動軌跡で回動される。
【００３４】
本実施形態のコネクタ嵌合構造は、レバー４０の回動が２段階に分かれており、第１段階で、雌コネクタ１０への雄コネクタ３０の嵌合開始前に、図６に示す状態から、図６中の半時計方向に回動され、ハウジング側ボス１５に対して図７に示す所定の位置に変位される。そして、第２段階で、レバー４０は、ハウジング側ボス１５を回動支点として、図７に示す状態から更に半時計方向に回動され、図１４に示すコネクタ嵌合完了時の状態まで回動される。
【００３５】
すなわち、レバー４０は、雌コネクタ１０への雄コネクタ３０の嵌合開始前に、嵌合離脱突起４８が、嵌合離脱ガイド部３３の前端部に設けられた係合面３３ｃに当接する（図６参照）。この状態からレバー４０は、嵌合離脱突起４８を中心に反時計方向へのレバー４０の回動に伴って、ハウジング側ボス１５が、嵌合溝４５内で図６中右側に摺動され、嵌合溝４５内の後端部分に形成された突き当て部４５ａに変位され、同時に嵌合離脱突起４８が、係合面３３ｂに当接する（図７に示す状態）。この第１段階で、雄コネクタ３０を嵌合離脱突起４８により嵌合可能な位置へ位置決めすることができる。
【００３６】
更に、レバー４０は、第２段階でハウジング側ボス１５が嵌合溝４５内の突き当て部４５ａに変位された状態で、雌コネクタ１０のインナハウジング１１ａに対して、ハウジング側ボス１５を中心として図６中の反時計方向に回動する（図７→図１４参照）。そして、レバー４０は、ハウジング側ボス１５を中心とした回動に伴って、嵌合離脱突起４８を嵌合離脱ガイド部３３内で係合面３３ｂに沿って図７中の左斜め下方に摺動・案内する。これにより、レバー４０は、円滑で安定した回動操作ができる。
【００３７】
レバー４０のロック解除アーム４２は、各コネクタ１０，３０のコネクタハウジング１１，３１の嵌合ロック時、レバー４０の図２中の反時計方向に回動されるのに伴って、先端（図４中、左端）に形成された鉤状部４２ａを、ロックアーム１２の解除突起１２ｂにおける図４中の右側のテーパ面に係合して押圧し、ロックアーム１２を係合部１２ａと雄コネクタ３０の係合突起３２とが離間する側に撓ませる。すなわち、ロックアーム１２を押し上げるようにして上方に撓ませる。これにより、雌コネクタ１０のロックアーム１２の係合部１２ａと雄コネクタ３０の係合突起３２との嵌合ロック動作が補助される。
【００３８】
そして、ロック解除アーム４２は、レバー４０の図２中の反時計方向への更なる回動に伴って、鉤状部４２ａをロックアーム１２の解除突起１２ｂに乗り越させ、ロックアーム１２を解放させる。
【００３９】
また、ロック解除アーム４２は、各コネクタ１０，３０のコネクタハウジング１１，３１の嵌合ロック解除時、レバー４０が図２中の時計方向に回動されるのに伴って、鉤状部４２ａをロックアーム１２の解除突起１２ｂにおける図４中の左側のテーパ面に係合して押圧し、再びロックアーム１２を係合部１２ａと雄コネクタ３０の係合突起３２とが離間する側に撓ませる。すなわち、ロックアーム１２を押し上げるようにして上方に撓ませる。これにより、雌コネクタ１０のロックアーム１２の係合部１２ａと雄コネクタ３０の係合突起３２との嵌合ロック解除動作が補助される。
【００４０】
そして、ロック解除アーム４２は、レバー４０の図２中の時計方向への更なる回動に伴って、鉤状部４２ａをロックアーム１２の解除突起１２ｂに乗り越させ、ロックアーム１２を解放させる。
【００４１】
すなわち、レバー４０のロック解除アーム４２は、各コネクタ１０，３０のコネクタハウジング１１，３１の嵌合ロック時及び嵌合ロック解除時のいずれの場合も、レバー４０が嵌合ロック側又は嵌合ロック解除側に回動されるのに伴って、ロックアーム１２を係合部１２ａと雄コネクタ３０の係合突起３２とが離間する図４中の上方に撓ませる。これにより、ロックアーム１２の係合部１２ａと雄コネクタ３０の係合突起３２との嵌合ロック動作及び嵌合ロック解除動作を補助させる。したがって、各コネクタ１０，３０のコネクタハウジング１１，３１の嵌合ロック作業及び嵌合ロック解除作業がレバー４０の回動操作のみで行われる。
【００４２】
雄コネクタ３０のコネクタハウジング３１内には、端子収容室が設けられており、端子収容室には、複数の雄型端子３６が収容されている。また、雄コネクタ３０のコネクタハウジング３１の図１中上面には、係合突起３２が設けられているとともに、係合突起３２の両側には、嵌合ガイドリブ３４が設けられている。更に、雄コネクタ３０のコネクタハウジング３１の図２中側面には、嵌合離脱ガイド部３３が設けられている。
【００４３】
雄コネクタ３０の係合突起３２は、雌コネクタ１０への雄コネクタ３０の嵌合に伴って、雌コネクタ１０のロックアーム１２の係合部１２ａと係合されることにより、各コネクタ１０，３０のコネクタハウジング１１，３１を嵌合ロックさせる。
【００４４】
雄コネクタ３０の嵌合ガイドリブ３４は、雌コネクタ１０への雄コネクタ３０の嵌合に伴って、雌コネクタ１０のインナハウジング１１ａに対する雄コネクタ３０のコネクタハウジング３１の移動軌跡を規制する。
【００４５】
雄コネクタ３０の嵌合離脱ガイド部３３には、雌コネクタ１０への雄コネクタ３０の嵌合に伴って、レバー４０の嵌合離脱突起４８が嵌合されるとともに、レバー４０の回動に伴って嵌合離脱突起４８を摺動・案内する嵌合時の係合面３３ｂと、離脱時の係合面３３ｃが設けられている。
【００４６】
また、嵌合離脱ガイド部３３内には、当接部３３ａが設けられている。当接部３３ａは、嵌合離脱ガイド部３３に嵌合された嵌合離脱突起４８を当接させることにより、雌雄コネクタをレバー回動前の初期状態に位置させる。
【００４７】
雌コネクタ１０のインナハウジング１１ａの後方には、カバー５０が外嵌される。カバー５０は、断面視Ｕ字状に形成されており、雌コネクタ１０のインナハウジング１１ａ後端側から取り回される電線を保護する。
【００４８】
カバー５０の図２中の上面には、一対のレバーガイドリブ５２が設けられているとともに、側面にはカバー側レバーストッパ５１が設けられている。
【００４９】
カバー５０のレバーガイドリブ５２は、レバー４０の回動時、レバー４０を案内することにより、レバー４０の回動軌跡を規制し、レバー４０の回動安定性を確保する。これにより、レバー４０の操作に伴う各コネクタ１０，３０のコネクタハウジング１１，３１の嵌合ロック動作及び嵌合ロック解除動作が確実に行える。
【００５０】
また、カバー５０のカバー側レバーストッパ５１は、レバー４０の図２中時計方向への回動を所定の位置（図１及び図５参照）で阻止する。
【００５１】
以上のように上記実施形態によれば、雌コネクタ１０のインナハウジング１１ａの一方の側面には、片側構成のレバー４０が回動可能に装着されており、レバー４０には、嵌合溝４５が設けられるとともに、嵌合離脱突起４８が突設されている。嵌合溝４５は、ハウジング側ボス１５に摺動可能に嵌挿されるとともに、レバー４０の回動に伴ってハウジング側ボス１５を摺動・案内させることにより、ハウジング側ボス１５をレバー４０の回動支点として機能させる。また、嵌合離脱突起４８は、雄コネクタのコネクタハウジング３１に設けられた嵌合離脱ガイド部３３に嵌合され、レバー４０の回動に伴って嵌合離脱ガイド部３３内で摺動・案内されることにより、雌コネクタ１０への雄コネクタ３０の嵌合及び離脱案内として機能する。
【００５２】
前記構成のレバー４０は、第１段階の回動に伴ってハウジング側ボス１５を嵌合溝４５内で摺動させ、該嵌合溝内に設けられた突き当て部４５ａに変位させるとともに、嵌合離脱突起４８が嵌合離脱ガイド部３３内に設けられた係合面３３ｂに当接する。そして、第２段階の回動に伴って、ハウジング側ボス１５を中心として回動し、嵌合離脱突起４８が嵌合離脱ガイド部３３内で摺動・案内されるとともに、雌コネクタ１０への雄コネクタ３０の嵌合完了まで行うことができる。
【００５３】
したがって、レバー４０に円滑で安定した操作性を持たせることができるとともに、レバー４０の回動半径及び操作に必要な力を低減させることができる。これにより、レバー４０の回動に伴う低挿入力でのコネクタ嵌合を容易かつ確実に行うことができる。
【００５４】
本発明により得られるコネクタ嵌合構造は、低挿入力でのコネクタ嵌合を要求される場合に好適に用いられる。
【図面の簡単な説明】
【００５５】
【図１】本発明の一実施形態であるコネクタ嵌合構造の雌コネクタへの雄コネクタ嵌合前の状態を示す斜視図である。
【図２】図１のコネクタ構造のカバーを除くとともに、雌コネクタのアウタハウジングを一部切り欠いた状態を示す側面図である。
【図３】図１のコネクタ構造の雌コネクタのロックアームが見える位置での切断面を示す断面図である。
【図４】図１のコネクタ構造のレバーのロック解除アームが見える位置での切断面を示す断面図である。
【図５】本発明の一実施形態であるコネクタ嵌合構造の雌コネクタへの雄コネクタ嵌合し始め状態を示す斜視図である。
【図６】図５のコネクタ嵌合構造のカバー及び雌コネクタのアウタハウジングを除いた状態を示す側面図であり、ハウジング側ボスに対するレバーの変位前の状態を示す。
【図７】図５のコネクタ嵌合構造のカバー及び雌コネクタのアウタハウジングを除いた状態を示す側面図であり、ハウジング側ボスに対するレバーの変位後の状態を示す。
【図８】図５のコネクタ嵌合構造の雌コネクタのロックアームが見える位置での切断面を示す断面図である。
【図９】図５のコネクタ嵌合構造のレバーのロック解除アームが見える位置での切断面を示す断面図である。
【図１０】本発明の一実施形態であるコネクタ嵌合構造の雌コネクタへの雄コネクタ嵌合完了直前の状態を示す斜視図である。
【図１１】図９のコネクタ嵌合構造の雌コネクタのロックアームが見える位置での切断面を示す断面図である。
【図１２】図９のコネクタ嵌合構造のレバーのロック解除アームが見える位置での切断面を示す断面図である。
【図１３】本発明の一実施形態であるコネクタ嵌合構造の雌コネクタへの雄コネクタ嵌合完了状態を示す斜視図である。
【図１４】図１３のコネクタ嵌合構造のカバー及び雌コネクタのアウタハウジングを除いた状態を示す側面図である。
【図１５】図１３のコネクタ嵌合構造の雌コネクタのロックアームが見える位置での切断面を示す断面図である。
【図１６】図１３のコネクタ嵌合構造のレバーのロック解除アームが見える位置での切断面を示す断面図である。
【図１７】特許文献１で開示されているレバー式コネクタの雄ハウジングを雌ハウジングに嵌合前の状態を示す断面図である。
【図１８】図１７のレバー式コネクタの雄ハウジングを雌ハウジングに嵌合した状態を示す断面図である。
【符号の説明】
【００５６】
１０  雌コネクタ
１１  コネクタハウジング
１１ａ  インナハウジング
１１ｂ  アウタハウジング
１２  ロックアーム
１２ａ  係合部
１２ｂ  解除突起
１２ｃ  押圧部
１２ｄ  案内溝
１５  ハウジング側ボス
１６  レバー回動ガイドボス
３０  雄コネクタ
３１  コネクタハウジング
３２  係合突起
３２ａ  係合突起のテーパ部
３３  嵌合離脱ガイド部
３３ａ  当接部
３３ｂ，３３ｃ  係合面
３４  嵌合ガイドリブ
３６  雄型端子
４０  レバー
４１  押圧突起
４２  ロック解除アーム
４２ａ  鉤状部
４３  操作部
４４  平板部
４５  嵌合溝
４５ａ  突き当て部
４６  ガイド溝
４８  嵌合離脱突起
５０  カバー
５１  カバー側レバーストッパ
５２  レバーガイドリブ
【図１】
2006338949.tif 000003
【図２】
2006338949.tif 000004
【図３】
2006338949.tif 000005
【図４】
2006338949.tif 000006
【図５】
2006338949.tif 000007
【図６】
2006338949.tif 000008
【図７】
2006338949.tif 000009
【図８】
2006338949.tif 000010
【図９】
2006338949.tif 000011
【図１０】
2006338949.tif 000012
【図１１】
2006338949.tif 000013
【図１２】
2006338949.tif 000014
【図１３】
2006338949.tif 000015
【図１４】
2006338949.tif 000016
【図１５】
2006338949.tif 000017
【図１６】
2006338949.tif 000018
【図１７】
2006338949.tif 000019
【図１８】
2006338949.tif 000020